(57)【要約】【課題】光ディスクの再生中断状態での起動中に光ディスクが交換されても、誤動作を防止することを可能とする。【解決手段】再生中断時に再生中断位置と共に光ディスク５の判別情報を記憶しておき、再生中断後の再度の起動完了時に、光ディスク５から新たな識別情報を取得して中断後判別情報を作成し、該中断後判別情報と前記判別情報とを比較して起動前後の光ディスク５が同一であるか否かを判定し、同一と判定したときのみ再生中断位置から再生するようにしたことから、光ディスク再生装置１０の起動が完了する前に、光ディスク読取装置２０の起動が完了して光ディスク５が交換されても、光ディスク再生装置１０が単独でその交換を認識することができる。【選択図】図１
2010231871.tif 000002
【特許請求の範囲】
【請求項１】
光ディスク読取装置が光ディスクから読み取った情報を再生する再生手段と、再生中断時の前記再生手段の再生中断位置を記憶する再生中断位置記憶手段と、を有し、前記光ディスク読取装置の起動が完了するよりも遅く起動が完了する光ディスク再生装置において、
前記再生手段が再生した前記光ディスクを識別するための識別情報を、前記光ディスク読取装置が読み取った情報の中から取得する識別情報取得手段と、
前記再生中断時の前記光ディスクを示す判別情報を、前記識別情報取得手段が取得した前記識別情報に基づいて作成する判別情報作成手段と、
前記判別情報作成手段が作成した判別情報を記憶する判別情報記憶手段と、
前記再生中断後の再度の前記起動が完了したときに、前記光ディスク読取装置が読み取った情報の中から前記識別情報を取得する中断後識別情報取得手段と、
前記中断後識別情報取得手段が取得した前記識別情報に基づいて中断後判別情報を作成する中断後判別情報作成手段と、
前記判別情報記憶手段が記憶している前記判別情報と前記中断後判別情報とを比較して、起動前後の前記光ディスクが同一であるか否かを判定する判定手段と、
を有し、
前記再生手段が、前記判定手段によって同一であると判定されたときは、前記再生中断位置記憶手段が記憶している再生中断位置から前記情報を再生し、また、前記判定手段によって同一ではないと判定されたときは、前記光ディスクの最初から再生する手段であることを特徴とする光ディスク再生装置。
【請求項２】
前記判別情報作成手段及び前記中断後判別情報作成手段が、前記識別情報を固定長の文字列又は疑似乱数に変換して前記判別情報及び前記中断後判別情報を生成する手段であることを特徴とする請求項１に記載の光ディスク再生装置。
【請求項３】
前記識別情報が、前記光ディスクの固有データと実データを有することを特徴とする請求項１又は２に記載の光ディスク再生装置。
【請求項４】
請求項１〜３の何れか１項に記載の光ディスク再生装置と、前記光ディスクから読み取った情報を前記光ディスク再生装置に出力する前記光ディスク読取装置と、を有することを特徴とする光ディスク再生システム。
【請求項５】
前記光ディスク読取装置が、前記光ディスクから読み取った固有情報を記憶する固有情報記憶手段と、前記固有情報に基づいて前記光ディスクのセットアップを行うセットアップ手段と、を有し、
前記判別情報作成手段及び前記中断後判別情報作成手段が、前記固有情報に新たな情報を追加した前記識別情報を取得する手段であることを特徴とする請求項４に記載の光ディスク再生システム。
【請求項６】
光ディスク読取装置が光ディスクから読み取った情報を再生する再生手段と、再生中断時の前記再生手段の再生中断位置を記憶する再生中断位置記憶手段と、を有し、前記光ディスク読取装置の起動が完了するよりも遅く起動が完了する光ディスク再生装置の起動時再生方法において、
前記再生手段が再生した前記光ディスクを識別するための識別情報を、前記光ディスク読取装置が読み取った情報の中から取得する過程と、
前記再生中断時の前記光ディスクを示す判別情報を、前記取得した前記識別情報に基づいて作成する過程と、
前記作成した判別情報を判別情報記憶手段に記憶する過程と、
前記再生中断後の再度の前記起動が完了したときに、前記光ディスク読取装置が読み取った情報の中から前記識別情報を取得する過程と、
前記取得した前記識別情報に基づいて中断後判別情報を作成する過程と、
前記判別情報記憶手段が記憶している前記判別情報と前記中断後判別情報とを比較して、起動前後の前記光ディスクが同一であるか否かを判定する過程と、
前記光ディスクが同一であると判定されたときに、前記再生中断位置記憶手段が記憶している再生中断位置から前記再生手段が情報を再生する過程と、
前記光ディスクが同一ではないと判定されたときに、前記光ディスクの最初から前記再生手段が情報を再生する過程と、
を有することを特徴とする光ディスク再生装置の起動時再生方法。
【請求項７】
光ディスク読取装置が光ディスクから読み取った情報を再生する再生手段と、再生中断時の前記再生手段の再生中断位置を記憶する再生中断位置記憶手段と、を有し、前記光ディスク読取装置の起動が完了するよりも遅く起動が完了する光ディスク再生装置のコンピュータを、
前記再生手段が再生した前記光ディスクを識別するための識別情報を、前記光ディスク読取装置が読み取った情報の中から取得する識別情報取得手段と、
前記再生中断時の前記光ディスクを示す判別情報を、前記識別情報取得手段が取得した前記識別情報に基づいて作成する判別情報作成手段と、
前記判別情報作成手段が作成した判別情報を判別情報記憶手段に記憶する手段と、
前記再生中断後の再度の前記起動が完了したときに、前記光ディスク読取装置が読み取った情報の中から前記識別情報を取得する中断後識別情報取得手段と、
前記中断後識別情報取得手段が取得した前記識別情報に基づいて中断後判別情報を作成する中断後判別情報作成手段と、
前記判別情報記憶手段が記憶している前記判別情報と前記中断後判別情報とを比較して、起動前後の前記光ディスクが同一であるか否かを判定する判定手段と、
前記再生手段が、前記判定手段によって同一であると判定されたときは、前記再生中断位置記憶手段が記憶している再生中断位置から前記情報を再生し、また、前記判定手段によって同一ではないと判定されたときは、前記光ディスクの最初から再生する手段として機能させるための光ディスク起動時再生プログラム。
【発明の詳細な説明】
【技術分野】
【０００１】
本発明は、光ディスクのラストアドレス再生機能を有する光ディスク再生装置、光ディスク再生システム、光ディスク再生装置の起動時再生方法、光ディスク起動時再生プログラム、等に関するものである。
【背景技術】
【０００２】
従来のＣＤ（Compact Disk）、ＤＶＤ（Digital Video Disk又はDigital Versatile Disk）、ＢＤ（Blu-ray Disc）等の光ディスクを再生する装置は、特許文献１等に示すラストアドレス再生機能を有している。ラストアドレス再生機能は、主電源のＯＦＦ時等に再生中断位置をメモリに記憶しておき、次に再生を再開する前に、この記憶したラストアドレスをメモリから読み出して、当該再生中断位置から再生を再開していた。
【先行技術文献】
【特許文献】
【０００３】
【特許文献１】特開平４−３１３８７６号公報
【発明の概要】
【発明が解決しようとする課題】
【０００４】
光ディスク再生装置は、光ディスクから情報を読み出すドライブと、該ドライブで読み取った情報を解析再生するデコーダと、を有している。そして、ドライブは、光ディスクの物理情報やサーボ調整値などを記憶しておき、次回起動時に、当該記憶した情報や値を使って、起動時の光ディスクのセットアップの高速化が図られてきた。
【０００５】
ところが、近年では圧縮技術などの進展によりデコード処理が複雑化する傾向にあるため、デコーダの処理が急激に増大している。そのため、デコーダには、パーソナル・コンピュータ（ＰＣ）に搭載するオペレーティングシステム（ＯＳ）と同等のＯＳを搭載する場合が多くなっている。その結果、デコーダは電源を投入してから動作可能となるまでの起動時間がＰＣと同様に遅くなる傾向にあった。
【０００６】
すると、デコーダとドライブを同時に起動させた場合、まず最初にドライブの起動が完了し、その後しばらくしてから、デコーダの起動が完了することになる。このような場合、上述したラストアドレスを記憶した光ディスク再生装置の次回起動時に、デコーダが起動する前にドライブの起動が完了すると、デコーダが起動中であるにもかかわらず、デコーダの起動中にドライブの光ディスクが他の光ディスクに交換可能となってしまう。しかしながら、起動が完了したデコーダは、ラストアドレス再生に対応した光ディスクが交換されていることを検出できないため、他の光ディスクに対してラストアドレス再生を行ってしまうという問題が生じていた。
【０００７】
また、ドライブに光ディスクが交換されたことを記憶しておき、デコーダの起動が完了したときにデコーダに交換されたことを通知することも考えられるが、これに対応するにはドライブ及びデコーダの双方の変更を行わなければならず、コストアップに繋がってしまう。よって、デコーダの機能追加のみでラストアドレス再生を正確に行えるようにすることが望まれている。このように本発明が解決しようとする課題は、上記した問題が一例として挙げられる。
【０００８】
よって本発明は、上述した問題点に鑑み、光ディスクの再生中断状態での起動中に光ディスクが交換されても、誤動作を防止することができる光ディスク再生装置、光ディスク再生システム、光ディスク再生装置の起動時再生方法、光ディスク起動時再生プログラム、等を提供することを課題としている。
【課題を解決するための手段】
【０００９】
上記課題を解決するため本発明によりなされた請求項１記載の光ディスク再生装置は、光ディスク読取装置が光ディスクから読み取った情報を再生する再生手段と、再生中断時の前記再生手段の再生中断位置を記憶する再生中断位置記憶手段と、を有し、前記光ディスク読取装置の起動が完了するよりも遅く起動が完了する光ディスク再生装置において、前記再生手段が再生した前記光ディスクを識別するための識別情報を、前記光ディスク読取装置が読み取った情報の中から取得する識別情報取得手段と、前記再生中断時の前記光ディスクを示す判別情報を、前記識別情報取得手段が取得した前記識別情報に基づいて作成する判別情報作成手段と、前記判別情報作成手段が作成した判別情報を記憶する判別情報記憶手段と、前記再生中断後の再度の前記起動が完了したときに、前記光ディスク読取装置が読み取った情報の中から前記識別情報を取得する中断後識別情報取得手段と、前記中断後識別情報取得手段が取得した前記識別情報に基づいて中断後判別情報を作成する中断後判別情報作成手段と、前記判別情報記憶手段が記憶している前記判別情報と前記中断後判別情報とを比較して、起動前後の前記光ディスクが同一であるか否かを判定する判定手段と、を有し、前記再生手段が、前記判定手段によって同一であると判定されたときは、前記再生中断位置記憶手段が記憶している再生中断位置から前記情報を再生し、また、前記判定手段によって同一ではないと判定されたときは、前記光ディスクの最初から再生する手段であることを特徴とする。
【００１０】
上記課題を解決するため本発明によりなされた請求項４記載の光ディスク再生システムは、請求項１〜３の何れか１項に記載の光ディスク再生装置と、前記光ディスクから読み取った情報を前記光ディスク再生装置に出力する前記光ディスク読取装置と、を有することを特徴とする。
【００１１】
上記課題を解決するため本発明によりなされた請求項６記載の光ディスク再生装置の起動時再生方法は、光ディスク読取装置が光ディスクから読み取った情報を再生する再生手段と、再生中断時の前記再生手段の再生中断位置を記憶する再生中断位置記憶手段と、を有し、前記光ディスク読取装置の起動が完了するよりも遅く起動が完了する光ディスク再生装置の起動時再生方法において、前記再生手段が再生した前記光ディスクを識別するための識別情報を、前記光ディスク読取装置が読み取った情報の中から取得する過程と、前記再生中断時の前記光ディスクを示す判別情報を、前記取得した前記識別情報に基づいて作成する過程と、前記作成した判別情報を判別情報記憶手段に記憶する過程と、前記再生中断後の再度の前記起動が完了したときに、前記光ディスク読取装置が読み取った情報の中から前記識別情報を取得する過程と、前記取得した前記識別情報に基づいて中断後判別情報を作成する過程と、前記判別情報記憶手段が記憶している前記判別情報と前記中断後判別情報とを比較して、起動前後の前記光ディスクが同一であるか否かを判定する過程と、前記光ディスクが同一であると判定されたときに、前記再生中断位置記憶手段が記憶している再生中断位置から前記再生手段が情報を再生する過程と、前記光ディスクが同一ではないと判定されたときに、前記光ディスクの最初から前記再生手段が情報を再生する過程と、を有することを特徴とする。
【００１２】
上記課題を解決するため本発明によりなされた請求項７記載の光ディスク起動時再生プログラムは、光ディスク読取装置が光ディスクから読み取った情報を再生する再生手段と、再生中断時の前記再生手段の再生中断位置を記憶する再生中断位置記憶手段と、を有し、前記光ディスク読取装置の起動が完了するよりも遅く起動が完了する光ディスク再生装置のコンピュータを、前記再生手段が再生した前記光ディスクを識別するための識別情報を、前記光ディスク読取装置が読み取った情報の中から取得する識別情報取得手段と、前記再生中断時の前記光ディスクを示す判別情報を、前記識別情報取得手段が取得した前記識別情報に基づいて作成する判別情報作成手段と、前記判別情報作成手段が作成した判別情報を判別情報記憶手段に記憶する手段と、前記再生中断後の再度の前記起動が完了したときに、前記光ディスク読取装置が読み取った情報の中から前記識別情報を取得する中断後識別情報取得手段と、前記中断後識別情報取得手段が取得した前記識別情報に基づいて中断後判別情報を作成する中断後判別情報作成手段と、前記判別情報記憶手段が記憶している前記判別情報と前記中断後判別情報とを比較して、起動前後の前記光ディスクが同一であるか否かを判定する判定手段と、前記再生手段が、前記判定手段によって同一であると判定されたときは、前記再生中断位置記憶手段が記憶している再生中断位置から前記情報を再生し、また、前記判定手段によって同一ではないと判定されたときは、前記光ディスクの最初から再生する手段として機能させるための光ディスク起動時再生プログラムとなっている。
【図面の簡単な説明】
【００１３】
【図１】本発明に係る光ディスク再生装置と光ディスク再生システムの基本構成を示す構成図である。
【図２】本発明を適用したオーディオシステムの概略構成を示す構成図である。
【図３】図２に示されたドライブの概略構成の一例を示す構成図である。
【図４】デコーダとドライブのソフトウェア構成の一例を示す図である。
【図５】識別情報と判別情報の一例を説明するための図である。
【図６】図２に示されたマイコンが実行する再生制御処理の一例を示すフローチャートである。
【発明を実施するための形態】
【００１４】
以下、本発明に係る光ディスク再生装置、光ディスク再生システム、光ディスク再生装置の起動時再生方法、光ディスク起動時再生プログラムの一実施の形態を、図１の基本構成図を参照して以下に説明する。
【００１５】
図１において、光ディスク再生装置１０によれば、  光ディスク読取装置２０が光ディスク５から読み取った情報を再生する再生手段Ｐ１と、再生中断時の前記再生手段Ｐ１の再生中断位置を記憶する再生中断位置記憶手段Ｄ１と、を有し、前記光ディスク５読取装置２０の起動が完了するよりも遅く起動が完了する光ディスク再生装置１０において、前記再生手段Ｐ１が再生した前記光ディスク５を識別するための識別情報を、前記光ディスク読取装置２０が読み取った情報の中から取得する識別情報取得手段Ｐ２と、前記再生中断時の前記光ディスク５を示す判別情報を、前記識別情報取得手段Ｐ２が取得した前記識別情報に基づいて作成する判別情報作成手段Ｐ３と、前記判別情報作成手段Ｐ３が作成した判別情報を記憶する判別情報記憶手段Ｄ２と、前記再生中断後の再度の前記起動が完了したときに、前記光ディスク読取装置２０が読み取った情報の中から前記識別情報を取得する中断後識別情報取得手段Ｐ４と、前記中断後識別情報取得手段Ｐ４が取得した前記識別情報に基づいて中断後判別情報を作成する中断後判別情報作成手段Ｐ５と、前記判別情報記憶手段Ｄ２が記憶している前記判別情報と前記中断後判別情報とを比較して、起動前後の前記光ディスク５が同一であるか否かを判定する判定手段Ｐ６と、を有し、前記再生手段Ｐ１が、前記判定手段Ｐ６によって同一であると判定されたときは、前記再生中断位置記憶手段Ｄ１が記憶している再生中断位置から前記情報を再生し、また、前記判定手段Ｐ６によって同一ではないと判定されたときは、前記光ディスク５の最初から再生する手段となっている。
【００１６】
また、光ディスク再生装置１０の起動時再生方法は、光ディスク読取装置２０が光ディスク５から読み取った情報を再生する再生手段Ｐ１と、再生中断時の前記再生手段Ｐ１の再生中断位置を記憶する再生中断位置記憶手段Ｄ１と、を有し、前記光ディスク読取装置２０の起動が完了するよりも遅く起動が完了する光ディスク再生装置１０の起動時再生方法において、前記再生手段Ｐ１が再生した前記光ディスク５を識別するための識別情報を、前記光ディスク読取装置２０が読み取った情報の中から取得する過程と、前記再生中断時の前記光ディスク５を示す判別情報を、前記取得した前記識別情報に基づいて作成する過程と、前記作成した判別情報を判別情報記憶手段Ｄ２に記憶する過程と、前記再生中断後の再度の前記起動が完了したときに、前記光ディスク読取装置２０が読み取った情報の中から前記識別情報を取得する過程と、前記取得した前記識別情報に基づいて中断後判別情報を作成する過程と、前記判別情報記憶手段Ｄ２が記憶している前記判別情報と前記中断後判別情報とを比較して、起動前後の前記光ディスク５が同一であるか否かを判定する過程と、前記光ディスク５が同一であると判定されたときに、前記再生中断位置記憶手段Ｄ１が記憶している再生中断位置から前記再生手段Ｐ１が情報を再生する過程と、前記光ディスク５が同一ではないと判定されたときに、前記光ディスク５の最初から前記再生手段Ｐ１が情報を再生する過程と、を有している。
【００１７】
さらに、光ディスク起動時再生プログラムは、光ディスク読取装置２０が光ディスク５から読み取った情報を再生する再生手段Ｐ１と、再生中断時の前記再生手段Ｐ１の再生中断位置を記憶する再生中断位置記憶手段Ｄ１と、を有し、前記光ディスク読取装置２０の起動が完了するよりも遅く起動が完了する光ディスク再生装置１０のコンピュータを、前記再生手段Ｐ１が再生した前記光ディスク５を識別するための識別情報を、前記光ディスク読取装置２０が読み取った情報の中から取得する識別情報取得手段Ｐ２と、前記再生中断時の前記光ディスク５を示す判別情報を、前記識別情報取得手段Ｐ２が取得した前記識別情報に基づいて作成する判別情報作成手段Ｐ３と、前記判別情報作成手段Ｐ３が作成した判別情報を判別情報記憶手段Ｄ２に記憶する手段と、前記再生中断後の再度の前記起動が完了したときに、前記光ディスク読取装置２０が読み取った情報の中から前記識別情報を取得する中断後識別情報取得手段Ｐ４と、前記中断後識別情報取得手段Ｐ４が取得した前記識別情報に基づいて中断後判別情報を作成する中断後判別情報作成手段Ｐ５と、前記判別情報記憶手段Ｄ２が記憶している前記判別情報と前記中断後判別情報とを比較して、起動前後の前記光ディスク５が同一であるか否かを判定する判定手段Ｐ６と、前記再生手段Ｐ１が、前記判定手段Ｐ６によって同一であると判定されたときは、前記再生中断位置記憶手段Ｄ１が記憶している再生中断位置から前記情報を再生し、また、前記判定手段Ｐ６によって同一ではないと判定されたときは、前記光ディスク５の最初から再生する手段として機能させるための光ディスク起動時再生プログラムとなっている。
【００１８】
このような光ディスク再生装置１０によれば、光ディスク読取装置２０が光ディスク５から読み取った情報は再生手段Ｐ１によって再生されるとともに、該再生した光ディスク５を識別するための識別情報が、光ディスク読取装置２０によって読み取った情報の中から識別情報取得手段Ｐ２によって取得される。そして、当該再生が中断されると、その再生中断位置が再生中断位置記憶手段Ｄ１に記憶されるとともに、再生中断時の光ディスク５を示す判別情報が判別情報作成手段Ｐ３によって前記識別情報に基づいて作成されて判別情報記憶手段Ｄ２に記憶された後、光ディスク再生装置１０は電源断状態、待機状態、等になる。その後、電源投入等によって光ディスク再生装置１０及び光ディスク読取装置２０が起動されると、光ディスク読取装置２０の起動が完了した後に、光ディスク再生装置１０は起動が完了する。そして、光ディスク再生装置１０は、起動が完了した後に光ディスク読取装置２０によって読み取られた情報の中から識別情報が中断後識別情報取得手段Ｐ４によって取得されると、該識別情報に基づいた中断後判別情報が中断後判別情報作成手段Ｐ５によって作成される。そして、判定手段Ｐ６によって該中断後判別情報と判別情報記憶手段Ｄ２が記憶している判別情報とが比較されて、起動前後の光ディスク５が同一であるか否かが判定される。そして、判定手段Ｐ６によって同一であると判定されたときは、再生中断位置記憶手段Ｄ１が記憶している再生中断位置から光ディスク５の情報が再生手段Ｐ１によって再生される。また、判定手段Ｐ６によって同一ではないと判定されたときは、起動中に交換された光ディスク５が再生手段Ｐ１によって最初から再生される。
【００１９】
よって、再生中断時に再生中断位置と共に光ディスク５の判別情報を記憶しておき、再生中断後の起動完了時に、光ディスク５から新たな識別情報を取得して中断後判別情報を作成し、該中断後判別情報と前記判別情報とを比較して起動前後の光ディスク５が同一であるか否かを判定し、同一と判定したときのみ再生中断位置から再生するようにしたことから、光ディスク再生装置１０の起動が完了する前に、光ディスク読取装置２０の起動が完了して光ディスク５が交換されても、光ディスク再生装置１０が単独でその交換を認識することができるため、光ディスク再生装置１０の誤動作を防止することができる。また、光ディスク読取装置２０は光ディスク５の交換を検出する必要がないので、光ディスク再生装置１０のみに機能を追加するだけで容易に対応することができるため、既存の光ディスク読取装置２０をそのまま用いることができる。よって、光ディスク再生装置１０の起動中でも光ディスク５の交換ができるため、光ディスク再生装置１０の高機能化を図ることができ且つ利用者の操作制限を緩和して利便性の向上に貢献することができる。特に、システム構成が大規模な例えばブルーレイディスク等の光ディスクの光ディスク再生装置１０として好適である。
【００２０】
また、上述した光ディスク再生装置１０において、前記判別情報作成手段Ｐ３及び前記中断後判別情報作成手段Ｐ５が、前記識別情報を固定長の文字列又は疑似乱数に変換して前記判別情報及び前記中断後判別情報を生成する手段となっている。
【００２１】
このような光ディスク再生装置１０によれば、識別情報を固定長の文字列又は疑似乱数に変換して判別情報及び中断後判別情報を作成するようにしたことから、識別情報のデータサイズを大きくしても、該識別情報に基づいて作成する判別情報及び中断後判別情報のデータサイズを小さくすることができるため、識別情報の一意性を向上させることができる。また、相異なる判別情報と中断後判別情報が偶然に一致する可能性を低減させることができるため、起動前後の光ディスク５の判別精度を向上することができる。さらに、判別情報及び中断後判別情報のデータ量を小さくすることができるため、判別情報記憶手段Ｄ２として用いる記録媒体の容量の大容量化を防止することができる。
【００２２】
さらに、上述した光ディスク再生装置１０において、前記識別情報が、前記光ディスク５の固有データと実データを有している。
【００２３】
このような光ディスク再生装置１０によれば、識別情報が光ディスク５の固有データと実データを有するように構成したことから、光ディスク５の固有データは規格で定義されていないため、固有データだけでは偶然一致してしまう可能性があるが、固有データに実データを追加することで、識別情報の一意性を確保することができる。よって、該識別情報に基づいて作成する判別情報及び中断後判別情報の判別精度をより一層向上させることができる。
【００２４】
次に、光ディスク再生システム１は、上述した光ディスク再生装置１０と、前記光ディスク５から読み取った情報を前記光ディスク再生装置１０に出力する前記光ディスク読取装置２０と、を有している。
【００２５】
このような光ディスク再生システム１によれば、光ディスク再生装置１０の起動が完了する前に、光ディスク読取装置２０の起動が完了して光ディスク５が交換されても、光ディスク再生装置１０が単独でその交換を認識することができるため、光ディスク再生装置１０の誤動作を防止することができる。また、光ディスク読取装置２０は光ディスク５の交換を検出する必要がないので、光ディスク再生装置１０のみに機能を追加するだけで容易に対応することができるため、既存の光ディスク読取装置２０をそのまま用いることができる。よって、光ディスク再生装置１０の起動中でも光ディスク５の交換ができるため、光ディスク再生装置１０の高機能化を図ることができ且つ利用者の操作制限を緩和して利便性の向上に貢献することができる。さらに、光ディスク再生装置１０と光ディスク読取装置２０を組み合わせることができるため、システム構成に自由度を持たせることができる。
【００２６】
また、上述した光ディスク再生システム１によれば、前記光ディスク読取装置２０が、前記光ディスク５から読み取った固有情報を記憶する固有情報記憶手段Ｄ２１と、前記固有情報に基づいて前記光ディスク５のセットアップを行うセットアップ手段Ｐ２１と、を有し、前記判別情報作成手段Ｐ３及び前記中断後判別情報作成手段Ｐ５が、前記固有情報を有する前記識別情報を取得する手段となっている。
【００２７】
このような光ディスク再生システム１によれば、光ディスク読取装置２０の固有情報記憶手段Ｄ２１には光ディスク５から読み取った固有情報が記憶され、該固有情報に基づいた光ディスク５のセットアップがセットアップ手段Ｐ５によって行われる。そして、光ディスク再生装置１０の判別情報作成手段Ｐ３及び中断後判別情報作成手段Ｐ５は当該固有情報に新たな情報を加えた識別情報を取得する。よって、光ディスク読取装置２０がセットアップに用いていた固有情報に新たな情報を加えた識別情報を取得するようにしたことから、固有情報だけでは偶然一致してしまう可能性を排除することができるため、識別情報の一意性を確保することができる。
【実施例】
【００２８】
次に、上述した光ディスク再生装置、光ディスク再生システムをオーディオシステムに適用する場合の実施例を、図２乃至図６の図面を参照して以下に説明する。なお、上述した図１に示す基本構成のところで説明したものと同一あるいは相当する部分には同一符号を付して説明する。
【００２９】
図２において、オーディオシステム１は、図１に示す請求項中の光ディスク再生システムに相当し、光ディスク再生機器、パーソナル・コンピュータ（パソコン）、映像／音楽再生機器等のデコーダ１０と、該製品１０と通信可能に接続される外付の周辺機器又は内蔵のドライブ２０と、を有して構成している。そして、デコーダ１０及びドライブ２０は、オーディオシステム１の電源スイッチの電源ＯＮ操作に応じた電力供給、リセット信号の発生等に応じて同時に起動される。
【００３０】
光ディスク５としては、例えば上述したＣＤ−ＤＡ、ＣＤ−ＲＯＭ、ＤＶＤ−ＲＯＭ、ＤＶＤ−Ｒ、ＤＶＤ−ＲＷ、ＭＤ、ＢＤ、ＭＯ、などが例示できる。なお、以下の説明では、光ディスク５がＢＤである場合を前提に説明するが、光ディスク５は上述した複数種類の記録媒体の中から任意の記録媒体とすることができる。
【００３１】
デコーダ１０は、図１に示す請求項中の光ディスク再生装置に相当し、マイクロコンピュータ（マイコン）１１と、メモリ１２と、通信部１３と、を有して構成している。そして、マイコン１１は、図示しないが、周知のように、予め定めたプログラムに従って各種の処理や制御などを行う中央演算処理装置（ＣＰＵ）、ＣＰＵのためのプログラム等を格納した読み出し専用のメモリであるＲＯＭ、各種のデータを格納するとともにＣＰＵの処理作業に必要なエリアを有する読み出し書き込み自在のメモリであるＲＡＭ等を有して構成している。
【００３２】
マイコン１１には、例えば、液晶ディスプレイ等の表示装置１４が電気的に接続されている。そして、デコーダ１０と表示装置１４が一体となって光ディスク再生機器、パーソナル・コンピュータ（パソコン）、映像／音楽再生機器等の製品となっている。そして、マイコン１１は、内蔵するＲＯＭ、メモリ１２、等に記憶されたアプリケーション・プログラムを実行することで、通信部１３を介してドライブ２０との間で各種情報の送受信を行い、ドライブ２０から受信した情報を再生する。
【００３３】
前記ＲＯＭは、上述した図１に示す請求項中の再生手段Ｐ１、識別情報取得手段Ｐ２、判別情報作成手段Ｐ３、中断後識別情報取得手段Ｐ４、中断後判別情報作成手段Ｐ５、判定手段Ｐ６、等の各種手段としてマイコン１１のＣＰＵ（コンピュータ）を機能させるための光ディスク起動時再生プログラム等を記憶している。
【００３４】
メモリ１２は、電力供給が断たれた場合でも、格納された各種データの保持が可能な記録媒体であり、マイコン１１の処理作業に必要な各種格納エリアを有する電気的消去／書き換え可能なメモリ（ＥＥＰＲＯＭ，フラッシュメモリ，FRAM等）が用いられる。メモリ１２は、例えば、再生中断時のラストアドレス１２ａ、後述する判別情報１２ｂ、識別情報、等の各種情報を記憶する。
【００３５】
通信部１３は、例えば、ＡＴＡＰＩ（AT Attachment Packet Interface）、ＵＳＢ（Universal Serial Bus）、等の規格によりドライブ２０との間で相互通信を行う各種通信装置が用いられる。本実施例では、通信部１３がＡＴＡＰＩ規格で通信を行うことを前提に説明する。そして、通信部１３は、マイコン１１からの例えば取得要求等の各種情報をドライブ２０に送信すると共に、ドライブ２０からの各種情報を受信してシステムマイコン１１に出力する。
【００３６】
次に、ドライブ２０は、ＣＤ、ＤＶＤ、ＢＤ等の各種光ディスク５への記録及び読み取りが可能な構成となっている。ドライブ２０は、図３に示すように、マイコン（マイクロコンピュータ）２１と、ディスクモータ２２と、光ピックアップ２３と、ＲＦアンプ２４と、サーボ信号処理部２５と、ドライバ２６と、音声／映像信号処理部２７と、メモリ２８と、通信部２９と、を有して構成している。
【００３７】
マイコン２１は、上述したデコーダ１０のマイコン１１と同様に、ＣＰＵ、ＲＯＭ、ＲＡＭ等を有して構成している。マイコン２１は、光ディスク５の挿入や排出、記録／再生や停止などの各動作におけるドライブ２０全体の制御を行う。
【００３８】
ディスクモータ２２は、光学ドライブ２０にセットされた光ディスク５を回転させるためのモータであり、例えばスピンドルモータなどで構成されている。
【００３９】
光ピックアップ２３は、光ディスク５に照射する光を発生させる図示しないレーザ発振器としてのＣＤ用の波長のレーザダイオード、ＤＶＤ用の波長のレーザダイオード、ＢＤ用の波長のレーザダイオードや光ディスク５上に光を照射するためのレンズ、フォーカスやトラッキングを合わせるためのアクチュエータおよび光ディスク５から反射された光を受ける受光器等を備え、前記受光器の出力からフォーカスエラー信号および戻り光総和信号を生成し出力する。
【００４０】
ＲＦアンプ２４は、光ピックアップ２３から出力される信号を所定の値に増幅し、サーボ信号処理部２５へ出力する。
【００４１】
サーボ信号処理部２５は、公知であるマイクロコンピュータ、ＤＳＰ（Digital Signal Processor）等が用いられる。サーボ信号処理部２５は、ＲＦアンプ２４から入力される信号に基づいて光ディスク５の判別や光ピックアップ２３のフォーカスおよびトラッキングの制御などを制御プログラムにより行い、光ディスク５に記録された情報を正確に読めるようにする。さらに、光ディスク５に記録された音楽や映像などの情報を含む信号をアナログ／デジタル変換して音声／映像信号処理部２７へ出力する。
【００４２】
ドライバ２６は、サーボ信号処理部２５から入力された信号を増幅し、ディスクモータ２２および光ピックアップ２３へ出力する。
【００４３】
音声／映像信号処理部２７は、サーボ信号処理部２５から入力された信号を音声または映像信号に復調しエラー訂正などを行った後ＤＡコンバータ（図示せず）へ出力する。また、ＡＤコンバータ（図示せず）から入力された音声または映像信号を光ディスク５へ記録する形式に符号化しサーボ信号処理部２５へ出力する。
【００４４】
なお、前記ＤＡコンバータは、音声／映像信号処理部２７から入力されたデジタル信号をアナログ信号に変換し映像出力端子および音声出力端子から出力する。また、前記ＡＤコンバータは、映像入力端子および音声入力端子から入力された映像および音声信号をデジタル信号に変換して音声／映像信号処理部２７へ出力する。
【００４５】
メモリ２８は、電力供給が断たれた場合でも、格納された各種データの保持が可能であり、マイコン２１の処理作業に必要な各種格納エリアを有する電気的消去／書き換え可能なメモリ（ＥＥＰＲＯＭ）等が用いられる。そして、メモリ２８は、光ディスク５から読み取った固有情報５１を記憶している。該固有情報５１は、光ディスク５の物理情報、サーボ調整値等のコントロールデータを有している。該固有情報は、光ディスク５のセットアップ処理に用いられ、セットアップの高速化に貢献している。
【００４６】
メモリ２８は、図１に示す請求項中の固有情報記憶手段として機能しており、固有情報等の各種情報を記憶している。そして、固有情報５１は、光ディスク５がＢＤの場合、ＰＩＣ（Permanent Information & Control data）ということになる。また、光ディスク５がＣＤの場合はＴＯＣ（Table Of Contents），ＣＤテキスト（ＣＤ−ＴＥＸＴ）の管理データ、また、ＤＶＤの場合は「Manufacturer’s information」、「Physical format information」、「Physical format information in the Lead-in」、「BCA（Burst Cutting Area）」等のデータというように、光ディスク５の種類に応じて異なるデータ構造となる。
【００４７】
また、マイコン２１は、セットアップ処理プログラムを実行することで、図１に示す請求項中のセットアップ手段として機能し、装着された光ディスク５に最適な再生条件とするためのゲイン調整以外の各種調整を行い、光ディスク５の最適な再生条件が設定されることになる。
【００４８】
通信部２９は、各種通信装置、インタフェース等が用いられる。本実施形態では、通信部２９がＡＴＡＰＩ（AT Attachment Packet Interface）のデータ転送方式の規格で製品１０との間で相互通信を行う。通信部２９は、マイコン２１から入力された各種情報を製品１０に送信すると共に、製品１０から受信した取得要求等の各種情報をマイコン２１に出力する。
【００４９】
次に、上述した構成のデコーダ１０及びドライブ２０のソフトウェア構成の一例を、図４の図面を参照して以下に説明する。
【００５０】
図４において、デコーダ１０は、アプリケーション１０ａ、光ディスク再生用ミドルウェア１０ｂ、ＡＴＡＰＩ通信１０ｃ等の各種ソフトウェアから共通して利用される基本的な機能を提供し、複数のソフトウェアを連携させて、デコーダ１０全体を管理するオペレーティング・システム（ＯＳ）１０ｄを有している。該ＯＳ１０ｄとしては、例えばＬｉｎｕｘなどを任意に用いたり、独自の管理ソフトウェアを用いることもできる。
【００５１】
ドライブ２０は、ＡＴＡＰＩ通信２０ａ、光ディスク制御２０ｂ等の各種ソフトウェアが処理をリアルタイムに実行するためのリアルタイムＯＳ２０ｃを有している。リアルタイムＯＳ２０ｃは、公知であるＩＴＲＯＮなどを用いることができる。
【００５２】
このようにデコーダ１０とドライブ２０の各々に、ＯＳ１０ｄとリアルタイムＯＳ２０ｃを搭載することで、デコード処理の複雑化、機能の多様化、等に対応している。しかしながら、各ＯＳを搭載することで、パソコンなどと同様に、電源を投入してから起動完了して動作が可能になるまでの時間が従来よりも遅くなっている。そして、本実施例では、デコーダ１０が起動完了までに約２０秒かかるのに対し、ドライブ２０はそれよりも速い１秒未満で起動が完了する。また、デコーダ１０の起動完了までの時間は、デコーダ１０の機能が増加するほど遅くなるものである。よって、デコーダ１０とドライブ２０が同時に起動されると、ドライブ２０が先に起動完了し、その後、デコーダ１０の起動が完了する。
【００５３】
次に、上述したデコーダ１０が作成する判定情報の一例を、図５の図面を参照して以下に説明する。
【００５４】
デコーダ１０は、上述した固有情報５１（固有データに相当）とユーザ情報５２（実データに相当）を識別情報としてドライブ２０から取得し、これらの情報とハッシュ関数を用いて例えば２５６ビット程度などのハッシュ値を算出し、該ハッシュ値を有する判定情報を作成する。なお、ユーザ情報５２は、光ディスク５の先頭から所定セクタ分の全てのデータなど、任意のデータとして設定することができる。そして、ユーザ情報５２の所定セクタ数を大きくすれば、一意性を向上させることができる。また、本実施例では、ハッシュ関数を用いて判定情報を作成する場合について説明するが、これに代えて、例えば、各種アルゴリズムによって圧縮して判定情報を作成する、ハッシュテーブルを用いてエントリして判定情報を作成する、など種々異なる実施例をすることができる。
【００５５】
また、固有情報５１はベンダー定義であり、光ディスク５の種類によって定義されている訳ではないので、偶然一致してしまう可能性があるが、前記識別情報のように、固有情報５１とユーザ情報５２とを有する構成とすることで、識別情報の一意性を向上させることができる。
【００５６】
次に、上述したデコーダ１０のマイコン１１が前記起動時再生プログラムを実行して行う再生制御処理の一例を、図６に示すフローチャートを参照して以下に説明する。
【００５７】
マイコン１１は、図６に示すステップＳ１１において、メモリ１２にラストアドレス１２ａが記憶されているか否かを判定する。この判定は、ラストアドレス１２ａが設定されているか設定されていないか（ＮＵＬＬか）に基づいて判定する。そして、マイコン１１は、ラストアドレス１２ａが記憶されていないと判定した場合（Ｓ１１でＮ）、ステップＳ１２において、ディスク再生処理を実行することで、光ディスク再生用ミドルウェア１０ｂを用いてドライブ２０に光ディスク５の先頭からの再生を要求し、光ディスク再生用ミドルウェア１０ｂがドライブ２０からの音楽や映像など入力信号をある一定の規則に基づいて変換し、出力信号を生成して表示装置１４に出力し、その後ステップＳ１３の処理に進む。
【００５８】
マイコン１１は、ステップＳ１３において、ドライブ２０から通信部１３を介して受信した情報から、図５に示す固有情報５１とユーザ情報５２を有する識別情報を取得してメモリ１２等に記憶し、その後ステップＳ１４に進む。マイコン１１は、ステップＳ１４において、該識別情報とハッシュ関数からハッシュ値を算出し、該ハッシュ値を有する判別情報を作成してメモリ１２に記憶し、その後ステップＳ２０の処理に進む。
【００５９】
また、マイコン１１は、前記ステップＳ１１でラストアドレス１２ａが設定されていると判定した場合（Ｓ１１でＹ）、ステップＳ１５において、ラストアドレス再生処理を実行することで、光ディスク再生用ミドルウェア１０ｂを用いてドライブ２０に光ディスク５のラストアドレスからの再生を要求し、光ディスク再生用ミドルウェア１０ｂがドライブ２０からの音楽や映像など入力信号をある一定の規則に基づいて変換し、出力信号を生成して表示装置１４に出力し、その後ステップＳ１６の処理に進む。
【００６０】
マイコン１１は、ステップＳ１６において、ドライブ２０から通信部１３を介して受信した情報から、固有情報５１とユーザ情報５２を有する識別情報を取得してメモリ１２等に記憶し、その後ステップＳ１７に進む。なお、前回の識別情報を用いる場合は、このステップＳ１６の処理は削除される。そして、マイコン１１は、ステップＳ１７において、ステップＳ１４と同様に、該識別情報とハッシュ関数からハッシュ値を算出し、該ハッシュ値を有する起動後判別情報を作成してメモリ１２に記憶し、その後ステップＳ１８の処理に進む。
【００６１】
マイコン１１は、ステップＳ１８において、メモリ１２等の判別情報と起動後判別情報とが一致するか否かを比較する。マイコン１１は、一致すると判定した場合（Ｓ１８でＹ）、装着されている光ディスク５がラストアドレス再生を中断した光ディスク５であると判断し、その後ステップＳ２０の処理に進む。一方、マイコン１１は、一致しないと判定した場合（Ｓ１８でＮ）、デコーダ１０の起動中に光ディスク５が交換されたと判断し、ステップＳ１９において、ドライブ２０に対してラストアドレス再生の停止を要求し、光ディスク５の先頭からの再生を要求し、その後ステップＳ２０の処理に進む。
【００６２】
マイコン１１は、ステップＳ２０の処理において、利用者による終了操作による電源断、等の発生に応じた、再生停止要求を受けたか否かを判定する。マイコン１１は、再生停止要求を受けていないと判定した場合（Ｓ２０でＮ）、この判定処理を繰り返すことで、再生停止要求の発生を待つ。一方、マイコン１１は、再生停止要求を受けたと判定した場合（Ｓ２０でＹ）、ステップＳ２１の処理に進む。
【００６３】
マイコン１１は、光ディスク５が装着された状態での電源断であるか否かを判定する。マイコン１１は、光ディスク５が装着された状態での電源断ではないと判定した場合（Ｓ２１でＮ）、その後処理を終了する。一方、マイコン１１は、光ディスク５が装着された状態での電源断であると判定した場合（Ｓ２１でＹ）、ステップＳ２２の処理に進む。
【００６４】
マイコン１１は、ステップＳ２２において、電源断発生時の光ディスク５のラストアドレス１２ａを取得してメモリ１２に記憶し、該ラストアドレス１２ａに上述した判別情報１２ｂを関連付けてメモリ１２に記憶し、その後処理を終了する。
【００６５】
以上説明した図５に示す再生制御処理をマイコン１１が実行することで、上述した図１に示す請求項中の請求項中の再生手段Ｐ１、識別情報取得手段Ｐ２、判別情報作成手段Ｐ３、中断後識別情報取得手段Ｐ４、中断後判別情報作成手段Ｐ５、判定手段Ｐ６としてマイコン１１が機能することになる。そして、図６に示すフローチャート中のステップＳ１２，Ｓ１５が再生手段Ｐ１、ステップＳ１３が識別情報取得手段Ｐ２、ステップＳ１４，Ｓ２３が判別情報作成手段Ｐ３、ステップＳ１６が中断後識別情報取得手段Ｐ４、ステップＳ１７が中断後判別情報作成手段Ｐ５、ステップＳ１８が判定手段Ｐ６にそれぞれ相当している。
【００６６】
次に、上述したオーディオシステム１におけるデコーダ１０とドライブ２０の動作（作用）の一例を、以下に説明する。
【００６７】
オーディオシステム１において、デコーダ１０とドライブ２０によって光ディスク５の再生を開始すると、ドライブ２０が読み取った光ディスク５の固有情報５１とユーザ情報５２をデコーダ１０が識別情報として取得する。そして、デコーダ１０は該識別情報とハッシュ関数からハッシュ値を算出し、該ハッシュ値を有する判別情報１２ｂを作成してメモリ１２に記憶する。
【００６８】
光ディスク５を装着した状態でオーディオシステム１の電源が落とされると、デコーダ１０とドライブ２０は終了要求を受けて終結処理等を行った後に終了する。このとき、デコーダ１０は、ラストアドレス１２ａをメモリ１２に記憶すると共に、該ラストアドレス１２ａに判別情報１２ｂを関連付けてメモリ１２に記憶した後に処理を終了する。
【００６９】
その後、光ディスク５を装着した状態でオーディオシステム１の電源が投入されると、デコーダ１０とドライブ２０の各々は起動する。ドライブ２０は、装着されている光ディスク５から読み取った固有情報５１をメモリ２８に記憶すると共に、光ディスク５のセットアップを行った後に起動を完了して待機状態となる。これに対し、デコーダ１０は、アプリケーション１０ａのロード及び初期処理、光ディスク再生用ミドルウェア１０ｂの初期処理などを行う。
【００７０】
このデコーダ１０の起動中に、オーディオシステム１はイジェクトキーが操作されると、ドライブ２０は光ディスク５をイジェクトし、その後、異なる光ディスク５が装着されると、該光ディスク５に対するセットアップを行う。その後、起動中であったデコーダ１０の起動が完了すると、デコーダ１０は、メモリ１２にラストアドレス１２ａが記憶されているか否かを判定する。そして、デコーダ１０は当該ラストアドレス１２ａからの再生開始をドライブ２０に要求する。
【００７１】
デコーダ１０は、ドライブ２０から光ディスク５の固有情報５１とユーザ情報５２を識別情報として取得し、該識別情報とハッシュ関数からハッシュ値を算出して起動後判別情報を作成してメモリ１２に記憶する。デコーダ１０は、該起動後判別情報と起動前、即ち電源断時の判別情報とを比較し、一致していない場合、デコーダ１０はドライブ２０に対してラストアドレス再生を中止させ、光ディスク５を最初から再生させる。これに対し、デコーダ１０は、一致している場合は、ラストアドレス再生を継続させる。
【００７２】
以上説明したデコーダ１０によれば、再生中断時にラストアドレス１２ａと共に光ディスク５の判別情報１２ｂを記憶しておき、再生中断後の起動完了時に、光ディスク５から新たな識別情報を取得して中断後判別情報を作成し、該中断後判別情報と前記判別情報１２ｂとを比較して起動前後の光ディスク５が同一であるか否かを判定し、同一と判定したときのみラストアドレス１２ａから再生するようにしたことから、光ディスク再生装置１０の起動が完了する前に、ドライブ２０の起動が完了して光ディスク５が交換されても、デコーダ１０が単独でその交換を認識することができるため、デコーダ１０の誤動作を防止することができる。また、ドライブ２０は光ディスク５の交換を検出する必要がないので、デコーダ１０のみに機能を追加するだけで容易に対応することができるため、既存のドライブ２０をそのまま用いることができる。よって、デコーダ１０の起動中でも光ディスク５の交換ができるため、デコーダ１０の高機能化を図ることができ且つ利用者の操作制限を緩和して利便性の向上に貢献することができる。特に、システム構成が大規模な例えばブルーレイディスク等の光ディスクのデコーダ１０として好適である。
【００７３】
また、ハッシュ関数を用いて識別情報を固定長の文字列又は疑似乱数に変換して判別情報１２ｂ及び中断後判別情報を作成するようにしたことから、識別情報のデータサイズを大きくしても、該識別情報に基づいて作成する判別情報１２ｂ及び中断後判別情報のデータサイズを小さくすることができるため、識別情報の一意性を向上させることができる。また、相異なる判別情報１２ｂと中断後判別情報が偶然に一致する可能性を低減させることができるため、起動前後の光ディスク５の判別精度を向上することができる。さらに、判別情報１２ｂ及び中断後判別情報のデータ量を小さくすることができるため、判別情報記憶手段Ｄ２であるメモリ１２の容量の大容量化を防止することができる。
【００７４】
さらに、識別情報が光ディスク５の固有情報５１とユーザ情報５２を有するように構成したことから、光ディスク５の固有情報５１は規格で定義されていないため、固有情報５１だけでは偶然一致してしまう可能性があるが、固有情報５１にユーザ情報５２を追加することで、識別情報の一意性を確保することができる。よって、該識別情報に基づいて作成する判別情報１２ｂ及び中断後判別情報の判別精度をより一層向上させることができる。
【００７５】
なお、上述した実施例では請求項中の光ディスク再生装置がデコーダ１０である場合について説明したが、本発明はこれに限定するものではなく、例えば、上述した表示装置１４や光ディスク再生機、録画・再生機等に組み込むなど種々異なる実施形態とすることができる。
【００７６】
また、上述した実施例では、デコーダ１０が起動時に、ラストアドレス１２ａがメモリ１２に記憶されていると、ラストアドレス再生を開始し、その後、起動中の光ディスク５の交換を検出したときにラストアドレス再生を停止する場合について説明した。これに代えて、デコーダ１０が起動中に光ディスク５が交換されていないと判定した後に、ラストアドレス再生を開始する実施形態とすることもできる。
【００７７】
さらに、上述した実施例では、本発明の光ディスク再生システムがオーディオシステム１である場合について説明した。これに代えて、ホーム／カーオーディオ装置、カーナビゲーション装置、パーソナルコンピュータ等の各種光ディスク再生装置によって実現することもできる。
【００７８】
このように上述した実施例は本発明の代表的な形態を示したに過ぎず、本発明は、実施形態に限定されるものではない。即ち、本発明の骨子を逸脱しない範囲で種々変形して実施することができる。
【符号の説明】
【００７９】
１    光ディスク再生システム（オーディオシステム）
５    光ディスク
１０    光ディスク再生装置（デコーダ）
２０    光ディスク読取装置（ドライブ）
Ｄ１    再生中断位置記憶手段
Ｄ２    判別情報記憶手段
Ｄ２１    固有情報記憶手段
Ｐ１    再生手段
Ｐ２    識別情報取得手段
Ｐ３    判別情報作成手段
Ｐ４    中断後識別情報取得手段
Ｐ５    中断後判別情報作成手段
Ｐ６    判定手段
Ｐ２１    セットアップ手段
【図１】
2010231871.tif 000003
【図２】
2010231871.tif 000004
【図３】
2010231871.tif 000005
【図４】
2010231871.tif 000006
【図５】
2010231871.tif 000007
【図６】
2010231871.tif 000008